(57)【要約】  受信機又はトランシーバとして構成されてもよい装置は、並列に連結される複数の超再生（ＳＲ）増幅器を備える。なお、ＳＲ増幅器はそれぞれ異なった周波数帯域を同調させる。装置は、インジェクションロックを防ぐために又は電力漏れを減少させるために、ＳＲ増幅器のそれぞれの入力および出力においてアイソレーション増幅器を更に備える。装置は、帯域内妨害信号を減少させるための又は十分に除去するための回路を備えてもよい。装置は、ワイヤレス通信デバイスからの信号を受信するのに適したワイヤレス通信デバイス，その他のワイヤレス通信デバイスに信号を送信するのに適したワイヤレス通信デバイス，およびその他のワイヤレス通信デバイスから信号を送受信するのに適したワイヤレス通信デバイスの少なくとも一部を構成してもよい。
2010533423.tif 000002
【特許請求の範囲】
【請求項１】
並列に連結される複数の超再生増幅器を具備し、
前記超再生増幅器は、
それぞれ異なった周波数帯域に同調される、ワイヤレス通信のための装置。
【請求項２】
前記異なった周波数帯域は、
定められた帯域幅の中に存在する、請求項１に記載の装置。
【請求項３】
Ｎ個の超再生増幅器、前記超再生増幅器のそれぞれのクオリティファクタ（Ｑ）、および前記異なった周波数帯域のそれぞれの中心周波数（ｆｃ）は、
定められた最小の利得、定められた利得リプル、又は定められた帯域幅における定められた周波数応答を提供するように構成される、請求項１に記載の装置。
【請求項４】
前記異なった周波数帯域の一又はそれ以上が、
一又はそれ以上の異なった周波数帯域のうちの少なくとも他の一つに重なる、請求項１に記載の装置。
【請求項５】
前記超再生増幅器の入力にそれぞれ連結される複数のアイソレーション増幅器を更に具備する、請求項１に記載の装置。
【請求項６】
前記超再生増幅器の出力にそれぞれ連結される複数のアイソレーション増幅器を更に具備する、請求項１に記載の装置。
【請求項７】
前記超再生増幅器の入力に連結されるフィルタを更に具備する、請求項１に記載の装置。
【請求項８】
前記超再生増幅器の入力に連結されるアンテナを更に具備する、請求項１に記載の装置。
【請求項９】
前記超再生増幅器の出力に連結される加算デバイスを更に具備する、請求項１に記載の装置。
【請求項１０】
妨害信号が前記異なった周波数帯域のいずれかに存在するかどうか判定するのに適した回路を更に具備する、請求項１に記載の装置。
【請求項１１】
前記回路は、
一又はそれ以上の妨害信号が存在するような一又はそれ以上の異なった周波数帯域のそれぞれに関係する一又はそれ以上の超再生増幅器を無効にするのに更に適する、請求項１０に記載の装置。
【請求項１２】
前記回路は、
実行可能コードによって制御されるのに適したプロセッサを更に具備する、請求項１０に記載の装置。
【請求項１３】
前記超再生増幅器は、
受信機の少なくとも一部を構成する、請求項１に記載の装置。
【請求項１４】
前記超再生増幅器は、
トランシーバの少なくとも一部を構成する、請求項１に記載の装置。
【請求項１５】
前記超再生増幅器は、
非干渉性受信機の少なくとも一部を構成する、請求項１に記載の装置。
【請求項１６】
前記異なった周波数帯域は、
２０％あるいはそれ以上のオーダの比帯域を有する、５００ＭＨｚあるいはそれ以上のオーダの帯域幅を有する、又は２０％あるいはそれ以上のオーダの比帯域および５００ＭＨｚあるいはそれ以上のオーダの帯域幅を有する、定められた超広帯域チャンネルの中に存在する、請求項１に記載の装置。
【請求項１７】
複数の超再生増幅器を並列に連結することと、
それぞれ異なった周波数帯域に超再生増幅器を同調させることと、
を具備する、ワイヤレス通信の方法。
【請求項１８】
前記異なった周波数帯域は、
定められた帯域幅の中に存在する、請求項１７に記載の方法。
【請求項１９】
Ｎ個の超再生増幅器を選択することと、
前記超再生増幅器のそれぞれのクオリティファクタ（Ｑ）を選択することと、
前記超再生増幅器のそれぞれの中心周波数（ｆｃ）を選択することと、
を更に具備し、
Ｎと、それぞれのＱおよびｆｃとは、
最小の利得、定められた利得リプル、又は定められた帯域幅における定められた周波数応答を提供するように選択される、請求項１７に記載の方法。
【請求項２０】
前記異なった周波数帯域の一又はそれ以上が、
一又はそれ以上の異なった周波数帯域のうちの少なくとも他の一つに重なる、請求項１７に記載の方法。
【請求項２１】
前記超再生増幅器のそれぞれの入力をお互いに電気的にアイソレーティングすることを更に具備する、請求項１７に記載の方法。
【請求項２２】
前記超再生増幅器のそれぞれの出力をお互いに電気的にアイソレーティングすることを更に具備する、請求項１７に記載の方法。
【請求項２３】
前記超再生増幅器で信号を増幅することと、
前記超再生増幅器で信号を増幅する前に信号をフィルタリングすることと、
を更に具備する、請求項１７に記載の方法。
【請求項２４】
アンテナによって信号を受信することと、
前記超再生増幅器で信号を増幅することと、
を更に具備する、請求項１７に記載の方法。
【請求項２５】
前記超再生増幅器の出力を加算することを更に具備する、請求項１７に記載の方法。
【請求項２６】
妨害信号が前記異なった周波数帯域のいずれかに存在するかどうか判定することを更に具備する、請求項１７に記載の方法。
【請求項２７】
一又はそれ以上の妨害信号が存在するような一又はそれ以上の異なった周波数帯域のそれぞれに関係する一又はそれ以上の超再生増幅器を無効にすることを更に具備する、請求項２６に記載の方法。
【請求項２８】
前記妨害信号が存在するかどうか判定するステップ、および前記一又はそれ以上の超再生増幅器を無効にするステップは、
プロセッサによって行われる、請求項２７に記載の方法。
【請求項２９】
前記一又はそれ以上の超再生増幅器によって信号を受信することを更に具備する、請求項１７に記載の方法。
【請求項３０】
一又はそれ以上の超再生増幅器を用いて信号をトランシ−ビングすることを更に具備する、請求項１７に記載の方法。
【請求項３１】
一又はそれ以上の前記超再生増幅器を用いる非干渉方法で信号を受信することを更に具備する、請求項１７に記載の方法。
【請求項３２】
前記異なった周波数帯域は、
２０％あるいはそれ以上のオーダの比帯域を有する、５００ＭＨｚあるいはそれ以上のオーダの帯域幅を有する、又は２０％あるいはそれ以上のオーダの比帯域および５００ＭＨｚあるいはそれ以上のオーダの帯域幅を有する、定められた超広帯域チャンネルの中に存在する、請求項１７に記載の方法。
【請求項３３】
複数の超再生増幅器を並列に連結する手段と、
それぞれ異なった周波数帯域に前記超再生増幅器を同調させる手段と、
を具備する、ワイヤレス通信のための装置。
【請求項３４】
前記異なった周波数帯域は、
定められた周波数帯域の中に存在する、請求項３３に記載の装置。
【請求項３５】
Ｎ個の超再生増幅器、前記超再生増幅器のそれぞれのクオリティファクタ（Ｑ）、および前記異なった周波数帯域の中心周波数（ｆｃ）は、
定められた最小の利得、定められた利得リプル、又は定められた帯域幅における定められた周波数応答を提供するように構成される、請求項３３に記載の装置。
【請求項３６】
前記異なった周波数帯域の一又はそれ以上が、
前記一又はそれ以上の異なった周波数帯域のうちの少なくとも他の一つに重なる、請求項３３に記載の装置。
【請求項３７】
前記超再生増幅器のそれぞれの入力をお互いに電気的にアイソレーティングする手段を更に具備する、請求項３３に記載の装置。
【請求項３８】
前記超再生増幅器のそれぞれの出力をお互いに電気的にアイソレーティングする手段を更に具備する、請求項３３に記載の装置。
【請求項３９】
前記信号をフィルタリングする手段を更に具備する、請求項３３に記載の装置。
【請求項４０】
前記信号を受信する手段を更に具備する、請求項３３に記載の装置。
【請求項４１】
前記超再生増幅器の出力を加算する手段を更に具備する、請求項３３に記載の装置。
【請求項４２】
妨害信号が前記異なった周波数帯域のいずれかに存在するかどうか判定する手段を更に具備する、請求項３３に記載の装置。
【請求項４３】
一又はそれ以上の妨害信号が存在するような一又はそれ以上の異なった周波数帯域のそれぞれに関係する一又はそれ以上の超再生増幅器を無効にする手段を更に具備する、請求項４２に記載の装置。
【請求項４４】
前記妨害信号が存在するかどうかを判定する手段および前記一又はそれ以上の超再生増幅器を無効にする手段は、
プロセッサを備える、請求項４３に記載の装置。
【請求項４５】
前記超再生増幅器の一又はそれ以上を用いて信号を受信する手段を更に具備する、請求項３３に記載の装置。
【請求項４６】
信号をトランシ−ビングする手段を更に具備し、
前記信号をトランシ−ビングする手段は、
一又はそれ以上の超再生増幅器を備える、請求項３３に記載の装置。
【請求項４７】
前記超再生増幅器の一又はそれ以上を用いる非干渉方法で信号を受信する手段を更に具備する、請求項３３に記載の装置。
【請求項４８】
前記異なった周波数帯域は、
２０％あるいはそれ以上のオーダの比帯域を有する、５００ＭＨｚあるいはそれ以上のオーダの帯域幅を有する、又は２０％あるいはそれ以上のオーダの比帯域を有するおよび５００ＭＨｚあるいはそれ以上のオーダの帯域幅を有する、定められた超広帯域チャンネルの中に存在する、請求項３３に記載の装置。
【請求項４９】
並列に連結される複数の超再生増幅器をそれぞれ異なった周波数帯域に同調させるために、少なくとも一つのコンピュータによって実行可能なコードを含んでいるコンピュータ可読媒体を具備する、信号を増幅するためのコンピュータプログラム製品。
【請求項５０】
アンテナと、
前記アンテナによって受信するのに適した受信機と、
受信データに基づいてオーディオ出力を生成するのに適した変換器と、
を具備し、
前記受信機は、
並列に連結される超再生増幅器のセットを備え、
前記超再生増幅器は、
それぞれ異なった周波数帯域に同調される、ワイヤレス通信のためのヘッドセット。
【請求項５１】
アンテナと、
前記アンテナによって受信するのに適した受信機と、
受信データに基づいてビジュアル出力を生ずるのに適したディスプレイと、
を具備し、
前記受信機は、
並列に連結される超再生増幅器を備え、
前記超再生増幅器は、
それぞれ異なった周波数帯域に同調される、ワイヤレス通信のための時計。
【請求項５２】
感知データを生成するのに適したセンサと、
感知データを送信するのに適したトランシーバと、
を具備し、
前記トランシーバは、
並列に連結される超再生増幅器を備え、
前記超再生増幅器は、
それぞれ異なった周波数帯域に同調される、ワイヤレス通信のための感知デバイス。
【発明の詳細な説明】
【技術分野】
【０００１】
本開示は、一般的な通信システムに関し、特に、並列に連結され、異なった周波数帯域にそれぞれ同調される、複数のＳＲ増幅器を備えている超再生（ＳＲ）装置に関する。
【背景技術】
【０００２】
従来、超広帯域（ＵＷＢ）チャンネルによって情報を受信する通信システムは、一般的に一又はそれ以上の直列接続された線形増幅器からなる受信機群を用いる。しかしながら、このような受信機群は、例えば、一又はそれ以上の直列接続された線形増幅器が一般的に相当な量の電力を消費するようなＧＨｚ又はそれ以上の周波数帯域で動作する。これは、バッテリのように電源が限られた使用期間を有する低電力アプリケーションにとって望ましくない受信機構造を作るかもしれない。
【０００３】
従来のＵＷＢ受信機のもう一つの欠点は、一又はそれ以上の直列接続された線形増幅器が帯域外妨害信号を拒絶するのに適していないことである。この欠点のために、従来のＵＷＢ受信機は、帯域外妨害信号を減少させるために又は除去するために、アンテナおよび一又はそれ以上の直列接続された増幅器の入力の間にバス・パス・フィルタ（ＢＰＦ）を用いる。概して、ＢＰＦは帯域外妨害信号を能率的に減少させるために又は除去するために、望ましい帯域外拒絶を達成するために、複雑にされるかもしれない。これは従来のＵＷＢ受信機に関連したコストを増加させる点で不利な結果を有する。更に、一又はそれ以上の直列接続された線形増幅器を備えている従来のＵＷＢ受信機は、一般的に帯域内妨害信号を能率的に減少させること又は除去することができない。
【発明の概要】
【０００４】
開示の態様は、並列に連結される複数の超再生（ＳＲ）増幅器を備える装置に関する。なお、ＳＲ増幅器は異なった周波数帯域にそれぞれ同調される。もう一つの態様において、異なった周波数帯域は、定められた帯域幅の中に存在する。更にもう一つの態様において、Ｎ個の超再生増幅器，ＳＲ増幅器のそれぞれのクオリティファクタ（Ｑ），および異なった周波数帯域のそれぞれの中心周波数は、定められた最小の利得，定められた利得リプル，又は定められた帯域幅における定められた周波数応答を提供するように構成される。更にもう一つの態様において、一又はそれ以上の異なった周波数帯域は、もう一つの一又はそれ以上の異なった周波数帯域に重なってもよい。
【０００５】
もう一つの態様の開示によれば、装置は、ＳＲ増幅器のそれぞれの入力の位置を定めるアイソレーション増幅器の第１のセットを備えてもよい。更に、装置は、ＳＲ増幅器のそれぞれの出力の位置を定めるアイソレーション増幅器の第２のセットを備えてもよい。アイソレーション増幅器の第１および第２のセットは、一方の増幅器からもう一方の増幅器へのインジェクションロックを防ぐためにお互いにＳＲ増幅器を分離する。また、アイソレーション増幅器の第１のセットは、ＳＲ増幅器からの電力漏れを防ぐことを促進する。装置は、通信デバイスから信号を受信するためにＳＲ増幅器の入力に連結されるアンテナを備えてもよい。装置は、それぞれのＳＲ増幅器によって増幅されるような異なった周波数帯域での信号から増幅された受信信号を復元するためにＳＲ増幅器の出力に連結される加算デバイスを備えてもよい。
【０００６】
更にもう一つの態様の開示によれば、装置は、それぞれのＳＲ増幅器によってカバーされるような異なった周波数帯域のいくつかに、妨害信号が存在するかどうか判定するのに適した回路を更に備えてもよい。ある態様において、回路は、一又はそれ以上の妨害信号が存在するような一又はそれ以上の異なった周波数帯域のそれぞれに関係する一又はそれ以上のＳＲ増幅器を無効にするのに適していてもよい。更にもう一つの態様において、回路は、実行可能コードによって制御されるのに適したプロセッサを備えてもよい。
【０００７】
更にもう一つの態様の開示によれば、ＳＲ増幅器は信号受信機又はトランシーバの少なくとも一部を構成してもよい。更にもう一つの態様において、ＳＲ増幅器は非干渉性受信機の少なくとも一部を構成してもよい。その他の態様において、装置はアンテナによって第２の通信デバイスからオーディオデータを受信するのに適したワイヤレス通信デバイスの一部を構成してもよい。および、装置はアンテナによって第２のワイヤレス通信デバイスにオーディオデータを送信するのに適したワイヤレス通信デバイスの一部を構成してもよい。更にもう一つの態様において、装置はアンテナによって第２のワイヤレス通信デバイスからのデータを受信するのに適した、および受信データを処理するのに適したワイヤレス通信デバイスの一部を構成してもよい。更にもう一つの態様において、装置は感知されるデータを生成するのに適したセンサおよびアンテナによってもう一つの通信デバイスへ感知されるデータを送信するに適したトランシーバを含んでいるワイヤレス通信デバイスの一部を構成してもよい。
【０００８】
本開示のその他の態様，利点および新規の特徴は、添付図面に関連して考慮される場合に、以下の詳細な記載から明白になるであろう。
【図面の簡単な説明】
【０００９】
【図１Ａ】図１Ａは、開示の態様に従う、典型的な超再生（ＳＲ）装置のブロック図を例証する。
【図１Ｂ】図１Ｂは、もう一つの態様の開示に従う、典型的な超再生（ＳＲ）増幅器のブロック図を例証する。
【図２Ａ】図２Ａは、もう一つの態様の開示に従う、典型的な超再生（ＳＲ）受信機のブロック図を例証する。
【図２Ｂ】図２Ｂは、もう一つの態様の開示に従う、典型的な超再生（ＳＲ）受信機に関係する典型的な周波数応答のグラフを例証する。
【図３Ａ】図３Ａは、もう一つの態様の開示に従う、典型的な超再生（ＳＲ）受信機のブロック図を例証する。
【図３Ｂ】図３Ｂは、もう一つの態様の開示に従う、典型的な超再生（ＳＲ）受信機の出力から帯域内妨害信号を減少させるおよび／又は除去する典型的な方法のフロー図を例証する。
【図４】図４は、もう一つの態様の開示に従う、典型的な通信デバイスの機能ブロック図を例証する。
【図５Ａ】図５Ａは、もう一つの態様の開示に従う、様々なパルス変調技術のタイミング図を例証する。
【図５Ｂ】図５Ｂは、もう一つの態様の開示に従う、様々なパルス変調技術のタイミング図を例証する。
【図５Ｃ】図５Ｃは、もう一つの態様の開示に従う、様々なパルス変調技術のタイミング図を例証する。
【図５Ｄ】図５Ｄは、もう一つの態様の開示に従う、様々なパルス変調技術のタイミング図を例証する。
【図６】図６は、もう一つの態様の開示に従う、様々なチャンネルによってお互いに通信する、様々な通信デバイスのブロック図を例証する。
【図７】図７は、もう一つの態様の開示に従う、典型的なトランシーバを含んでいる、典型的な通信デバイスのブロック図を例証する。
【図８】図８は、もう一つの態様の開示に従う、典型的な受信機を含んでいる、典型的な通信デバイスのブロック図を例証する。
【図９】図９は、もう一つの態様の開示に従う、典型的なトランシーバを含んでいる、典型的な通信デバイスのブロック図を例証する。
【発明を実施するための形態】
【００１０】
開示の様々な態様が以下に記述される。ここに教授することが幅広い構成の変化を具体化してもよいことは明白とされるであろう、およびここに記述されている特有の構成，機能，又はその両者が単なる典型にすぎないということは明白とされるであろう。ここに教授することに基づいて、当業者は、ここに記述される態様がその他の態様と無関係に実行されてもよいし、二又はそれ以上のこれら態様が様々な方法で組み合わされてもよいということを、理解するであろう。例えば、ここに示すいくつかの態様を用いて装置は実現されてもよい、又は方法は実行されてもよい。更に、ここに示す態様の一又はそれ以上の他に加えて、その他の構成，機能性，あるいは構成および機能性を用いてこのような装置は実現されてもよい、又はこのような方法は実行されてもよい。
【００１１】
上述した概念の一部の例のように、いくつかの態様において、当該装置は並列に連結される複数の超再生（ＳＲ）増幅器（ＳＲ発振器とも称される）を含んでもよい。なお、ＳＲ増幅器は異なった周波数帯域に同調される。その他の態様において、当該装置は、インジェクションロッキングを防ぐためにおよび電力漏れを減少させるためにＳＲ増幅器のそれぞれの入力および出力にアイソレーション増幅器を更に含んでもよい。その他の態様において、当該装置は、帯域内妨害信号を減少させるための又はおおむね除去するための回路を含んでもよい。更にその他の態様において、当該装置は、受信機又はトランシーバの少なくとも一部を構成してもよい。更にその他の態様において、当該装置は、一方のワイヤレス通信デバイスから信号を受信するのに適した、および一方のワイヤレス通信デバイスから信号を送受信するのに適した、もう一方のワイヤレス通信デバイスの少なくとも一部を構成してもよい。
【００１２】
図１Ａは、態様の開示に従って、典型的な超再生（ＳＲ）装置１００のブロック図を例証する。ＳＲ装置１００は、入力によって信号を受信し、異なった周波数帯域にそれぞれ同調される複数の並列ＳＲ増幅器によって信号を増幅し、出力に増幅された信号を発生させることができる。大抵の典型的な装置では、ＳＲ装置１００は、有線又はワイヤレス通信デバイスの一部として受信機のように用いられてもよい。しかしながら、ＳＲ装置１００がトランシーバの一部として用いられてもよいことは理解されるであろう。以下により詳細に記述されるように、ＳＲ装置１００は、帯域内妨害信号と同様に帯域外妨害信号を能率的に扱うことができる。
【００１３】
特に、ＳＲ装置１００は、入力および出力の間に並列に連結される複数のＳＲ増幅器１０２−１〜１０２−Ｎを備える。この例において、ＳＲ装置１００はＮ個のＳＲ増幅器を有する。各々のＳＲ増幅器は異なった周波数帯域を同調させる。例えば、ＳＲ増幅器１０２−１はｆ１と表される中心周波数を有している周波数帯域を同調させ、ＳＲ増幅器１０２−２はｆ２と表される中心周波数を有している周波数帯域を同調させ、およびＳＲ増幅器１０２−ＮはｆＮと表される中心周波数を有している周波数帯域を同調させる。
【００１４】
概して、異なった周波数帯域は、超広帯域（ＵＷＢ）チャンネルのように定義された帯域幅の中に存してもよい。例えば、超広帯域（ＵＷＢ）チャンネルは、２０％又はそれ以上のオーダの比帯域、５００ＭＨｚ又はそれ以上のオーダの帯域幅、２０％又はそれ以上のオーダの比帯域および５００ＭＨｚ又はそれ以上のオーダの帯域幅、を有していると定められている。Ｎ個のＳＲ増幅器，ＳＲ増幅器のそれぞれのクオリティファクタ（Ｑ），および異なった周波数帯域の中心周波数ｆ１からｆＮは、定められた最小の利得，定められた利得リプル，又は定められた帯域幅における定められた周波数応答を提供するために構成されてもよい。
【００１５】
以下により詳細に記述されるように、ＳＲ装置１００は、帯域内妨害信号と同様に帯域外妨害信号を除去する又は減少させるのに有用であってもよい。例えば、各ＳＲ増幅器、特に、ＳＲ増幅器１０２−１および１０２−Ｎのような定められた帯域幅の端におけるＳＲ増幅器は、比較的高いクオリティファクタ（Ｑ）を有するように構成されてもよい。このように、ＳＲ増幅器は中心周波数に近い周波数に対して比較的高い利得を有し、中心周波数から比較的遠い周波数に対して高減衰を有するであろう。それゆえ、ＳＲ増幅器は、定められた帯域幅の外側に存するかもしれない妨害信号を本来は減じてもよい。それによって、帯域外妨害信号の十分な拒絶又は除去を提供する。
【００１６】
帯域内妨害信号に関して、ＳＲ装置１００は比較的多数のＮ個のＳＲ増幅器で構成されてもよい。このような場合、各ＳＲ増幅器は定められた帯域幅の中の比較的小さな副帯域（サブバンド）の中の信号だけを増幅してもよい。それゆえ、もし妨害信号が副帯域の一つの中にある状態であるのならば、対応するＳＲ増幅器はＳＲ装置１００の出力における妨害信号の影響を防ぐために又は減少させるために停止又は無効にされてもよい。上述されるように、副帯域は定められた帯域幅と比較して比較的小さくてもよいので、妨害信号に応じてＳＲ増幅器を停止すること又は無効にすることの効果は、ＳＲ装置１００によって受信され、増幅される広帯域（例えば、ＵＷＢ等）信号にとって、わずか又は最小であってもよい。
【００１７】
図１Ｂは、もう一つの態様の開示に従って、典型的な超再生（ＳＲ）増幅器１５０−Ｋのブロック図を例証する。ＳＲ増幅器１５０−Ｋは、ここに記述されたいくつかのＳＲ増幅器の詳細な例であってもよい。ＳＲ増幅器１５０−Ｋは、共振回路１５２−Ｋおよびクエンチ発振器１５４−Ｋを備える。共振回路１５２−Ｋは、タンク回路，ソー共振回路，又はその他のタイプの共振回路を備えていてもよい。各共振回路は、プロセッサのようなディジタル回路又はアナログ回路によって手動で又は電子的に同調されてもよい。クエンチ発振器１５４−Ｋは、周期的にクエンチされてもよい。クエンチ周波数は、ＳＲ装置がカバーするように設計される、定められた帯域幅の少なくとも二倍の帯域幅であってもよい。それゆえ、もし定められた帯域幅がｆａおよびｆｂの間にあるのであれば、クエンチ周波数は少なくとも２＊（ｆｂ−ｆａ）であってもよい。
【００１８】
図２Ａは、もう一つの態様の開示に従って、典型的な超再生（ＳＲ）受信機２００のブロック図を例証する。ＳＲ受信機２００は、上述されたＳＲ装置１００の詳細した典型的な実施形態の一例であってもよい。この例において、ＳＲ受信機２００は、アンテナ２１０，バンド・パス・フィルタ（ＢＰＦ）２０８，複数の入力アイソレーション増幅器２０４−１〜２０４−Ｎ，複数のＳＲ増幅器２０２−１〜２０２−Ｎ，複数の出力増幅器２０６−１〜２０６−Ｎ，および加算デバイス２１２を備える。
【００１９】
特に、バンド・パス・フィルタ（ＢＰＦ）２０８は、アンテナ２１０および複数の入力アイソレーション増幅器２０４−１〜２０４−Ｎの入力の間に連結される。入力アイソレーション増幅器２０４−１〜２０４−Ｎの出力は、ＳＲ増幅器２０２−１〜２０２−Ｎの入力にそれぞれ連結される。ＳＲ増幅器２０２−１〜２０２−Ｎの出力は、出力アイソレーション増幅器２０６−１〜２０６−Ｎの入力にそれぞれ連結される。出力アイソレーション増幅器２０６−１〜２０６−Ｎの出力は、加算デバイス２１２の入力に連結される。
【００２０】
アンテナ２１０は、意図される信号および可能な限りの帯域外および／又は帯域内妨害信号を受信する。バンド・パス・フィルタ（ＢＰＦ）２０８は、入力アイソレーション増幅器２０４−１〜２０４−Ｎの入力における帯域外妨害信号を減少させるために又は除去するために受信信号の最初のフィルタリングを主に提供する。上述されるように、ＳＲ増幅器２０２−１〜２０２−Ｎは帯域外拒絶特性を本来有するので、バンド・パス・フィルタ（ＢＰＦ）２０８のためのフィルタリング特性は緩和されてもよい。あるいは、バンド・パス・フィルタ（ＢＰＦ）２０８は完全に除去されてもよい。
【００２１】
入力および出力アイソレーション増幅器は、お互いからＳＲ増幅器を孤立させる。これは一方のＳＲ増幅器から他方のＳＲ増幅器へのインジェクションロッキングを防ぐためである。さらに、入力アイソレーション増幅器は、ＳＲ増幅器からアンテナへの電力漏れを防ぐことの助けともなる。さもなければ、これは電磁波放射放出の制御を管理する政府の法律，規則，および規制の違反となるかもしれない不必要な放射を発生させるかもしれない。並列ＳＲ増幅器２０２−１〜２０２−Ｎは、異なった周波数帯域の中の対応する周波数コンポーネントの受信信号をそれぞれ増幅する。加算デバイス２１２は、出力アイソレーション増幅器２０６−１〜２０６−Ｎの出力からそれぞれ受信される、対応する周波数コンポーネントからの増幅された受信信号を復元する。
【００２２】
上述されたような前の実施形態に関連して、ＳＲ増幅器２０２−１〜２０２−Ｎは、ｆ１からｆＮと表されるそれぞれの中心周波数を有している、異なった周波数帯域に同調される。異なった周波数帯域は、超広帯域（ＵＷＢ）チャンネルのような定められた帯域幅の中に存してもよい。Ｎ個のＳＲ増幅器，ＳＲ増幅器のそれぞれのクオリティファクタ（Ｑ），および異なった周波数帯域のそれぞれの中心周波数ｆ１からｆＮは、定められた最小の利得，定められた利得リプル，又は定められた帯域幅における定められた周波数応答を提供するために構成されてもよい。これは図２Ｂに描写される典型的なグラフに関連してよりよく説明される。
【００２３】
図２Ｂは、もう一つの態様の開示に従って、典型的な超再生（ＳＲ）受信機２００に関係がある典型的な周波数応答のグラフを例証する。グラフのｘ又は横軸は周波数を表す。ｙ又は縦軸は利得を表す。グラフが例証するように、定められた帯域幅はｆａと表される比較的低い周波数からｆｂと表される比較的高い周波数に変化する。グラフは、それぞれのＳＲ増幅器２０２−１〜２０２−Ｎの周波数応答も示す。例えば、中心周波数ｆ１を有している最も左の周波数応答はＳＲ増幅器２０２−１に関係する。同様に、中心周波数ｆ２を有している周波数応答はＳＲ増幅器２０２−２に関係する。同様の方法で、中心周波数ｆｎを有している周波数応答はＳＲ増幅器２０２−Ｎに関係する。
【００２４】
この例において、ＳＲ増幅器の周波数応答は互いに部分的に重なりあうことには気付きたい。これは定められた帯域幅に対する全部の周波数応答を提供するために行われる。中心周波数は定められた帯域幅の中の個々の周波数応答の位置の基準となる。クオリティファクタ（Ｑ）は、個々の周波数応答の幅の基準となる。例えば、より高いクオリティファクタ（Ｑ）は、より幅が狭い個々の周波数応答である。逆に、より低いクオリティファクタ（Ｑ）は、より幅が広い個々の周波数応答である。また、Ｎ個のＳＲ増幅器は定められた帯域幅に対する全部の周波数応答に作用する。上述したように、Ｎ個のＳＲ増幅器，ＳＲ増幅器のそれぞれのクオリティファクタ（Ｑ），および異なった周波数帯域のそれぞれの中心周波数ｆ１からｆＮを適当に選択することによって、定められた最小の利得および／又は定められた利得リプルを含んでもよい、定められた帯域幅に対する望ましい全部の周波数応答が達成されてもよい。
【００２５】
図３Ａは、もう一つの態様の開示に従って、典型的な超再生（ＳＲ）受信機３００のブロック図を例証する。ＳＲ受信機３００は、特に、帯域内妨害信号を減少させるために又はおおむねと拒絶するために構成される。前の実施形態２００と同様に、ＳＲ受信機３００は、アンテナ３１０，バス・バンド・フィルタ（ＢＰＦ）３０８，複数の入力アイソレーション増幅器３０４−１〜３０４−Ｎ，複数のＳＲ増幅器３０２−１〜３０２−Ｎ，複数の出力アイソレーション増幅器３０６−１〜３０６−ｎ，および加算デバイス３１２を備える。これらの部材は、ＳＲ受信機２００に関連して上述に詳細に記述された。
【００２６】
ＳＲ受信機３００は、検電器３１４，信号調節器３２４，アナログ−ディジタル変換器（ＡＤＣ）３２２，入力／出力（Ｉ／Ｏ）デバイス３２０，プロセッサ３１６，およびメモリ３１８を更に備える。検電器３１４は、ＳＲ受信機３００の出力における表示する信号の電力レベルを生成する。信号調節器３２４は、ディジタル形式への変換について減少されたノイズを伴い適切なレベルになるように、検電器３１４からの信号を修正する（例えば、増幅する，フィルタする等）。ＡＤＣ３２２は、解析のためにＩ／Ｏデバイス３２０によってプロセッサ３１６へその後送信される調節された信号をディジタル形式に変換する。Ｉ／Ｏデバイス３２０は、ＡＤＣ３２２からの信号を受信し、プロセッサ３１６からＳＲ増幅器３０２−１〜３０２−Ｎのそれぞれに有効な／無効な信号Ｅｎ−１〜Ｅｎ−Ｎを送信するのと同様に、プロセッサ３１６に信号を送信する。
【００２７】
プロセッサ３１６は、帯域内妨害信号を減少させるために又は十分に除去するために、以下に記述される様々な動作を行う。ランダムアクセスメモリ（ＲＡＭ），読み出し専用メモリ（ＲＯＭ），磁気ディスク，光学ディスク，およびそれらの変形物のような、任意のタイプのコンピュータ可読媒体であってもよいメモリ３１６は、様々な動作を行うプロセッサ３１６を制御するような、一又はそれ以上のソフトウェアモジュールを記憶する。メモリ３１８は、その上、どのチャンネル又はＳＲ増幅器が有効とされるかに関する情報、およびどのチャンネル又はＳＲ増幅器が帯域内妨害信号を減少させるために又は除去するために無効とされるかに関する情報のようなデータを記憶する。以下に、帯域内妨害信号を扱うためにプロセッサ３１６によって行われる典型的な方法を記述する。
【００２８】
図３Ｂは、もう一つの態様の開示に従って、典型的な超再生（ＳＲ）受信機３００の出力から帯域内妨害信号を減少させるおよび／又は除去する、典型的な方法３５０のフロー図を例証する。方法３５０の時間において、ＳＲ受信機３００を含んでいる対応する通信デバイスがもう一つのデバイスと通信しないことが推定される。それゆえ、方法３５０の動作の間に、十分に意図しない帯域内信号がＳＲ受信機３００によって受信されている。
【００２９】
方法３５０に従って、プロセッサ３１６は、ＳＲ増幅器３０２−１〜ＳＲ増幅器３０２−Ｎを無効にする（ブロック３５２）。プロセッサ３１６は、Ｅｎ−１〜Ｅｎ−Ｎを経由して適切な無効信号をそれぞれ送ることによりＳＲ増幅器３０２−１〜３０２−Ｎを無効にしてもよい。プロセッサ３１６は、その後、１を指標Ｋに設定する（ブロック３５４）。指標Ｋは、帯域内妨害信号を増幅しているかどうか判定するために現在調べられるであろうＳＲ増幅器３０２−Ｋを識別する。プロセッサ３１６は、その後、Ｋ番目のＳＲ増幅器を有効にする（ブロック３５６）。プロセッサ３１６は、ＳＲ増幅器３０２−Ｋに適切な有効信号Ｅｎ−Ｋを送ることによってＫ番目のＳＲ増幅器を有効にしてもよい。例えば、もしＫが１に等しいのであれば、プロセッサ３１６はＳＲ増幅器３０２−１を有効にする。上述されるように、その他のＳＲ増幅器３０２−２〜３０２−Ｎは無効にされたままである。
【００３０】
その後、方法３５０に従って、ＳＲ増幅器３０２−Ｋが、いくらかのクエンチ周期に対して動作することを可能にされる（ブロック３５８）。これは、帯域内妨害信号に対するＳＲ受信機３００の出力を監視する目的のために、十分に安定させるためにＳＲ増幅器３０２−Ｋを可能にすることである。プロセッサ３１６は、その後、ＳＲ受信機３００の出力の電力レベルを判定する（ブロック３６０）。上述されるように、プロセッサ３１６は、ＡＤＣ３２２から受信される信号を監視することによって、出力電力レベルを判定してもよい。プロセッサ３１６は、その後、受信機出力の電力レベルが定められた閾値より大きいかどうか判定する（ブロック３６２）。定められる閾値は、周囲の雑音によって生ずる電力レベルと関連性があってもよい。定められる閾値を判定する方法の一つは、アンテナ３１０との接続を断ち、５０オーム終端に接続することである。ＡＤＣ３２２の出力における対応する値は、その後、定められる閾値として用いられてもよい。また、定められる閾値は、温度センサによって周囲の温度を計測することにより判定されてもよいし、定められる閾値に対して感知される温度をマップするためのルックアップ表を用いることによって判定されてもよい。もしプロセッサ３１６が受信機出力の電力レベルが定められた閾値より大きいと判定するのであれば、プロセッサ３１６はＫ番目のチャンネルに妨害信号があることに気付く（ブロック３６４）。ブロック３６６において明細に述べられるように、プロセッサ３１６は、その後、ＳＲ増幅器３０２−Ｋを無効にする。
【００３１】
もし受信機出力における電力レベルが定められた閾値未満であるのであれば、プロセッサ３１６はブロック３６４をスキップし、ＳＲ増幅器３０２−Ｋを無効にする（ブロック３６６）。プロセッサ３１６は、ＳＲ増幅器３２０−Ｋに適切な無効信号Ｅｎ−Ｋを送ることでこれを行ってもよい。プロセッサ３１６は、その後、帯域内妨害信号検査を受けるために次のＳＲ増幅器を選択するための指標Ｋを増す（ブロック３６８）。プロセッサ３１６は、その後、指標ＫがＮ＋１に等しいかどうか検査する（ブロック３７０）。もし指標ＫがＮ＋１に等しい、これは全てのＳＲ増幅器が帯域内妨害信号に対して検査されたことを意味する、場合、帯域内妨害信号を有しているとブロック３６４で識別されるものを除いて、プロセッサ３１６は、その後、全てのＳＲ増幅器を有効にする。ブロック３７０において、もし指標ＫがＮ＋１に等しくないのであれば、プロセッサ３１６は、その後、次のＳＲ増幅器に対して帯域内妨害信号検査を行うために、ブロック３５６へと戻る。それゆえ、方法３５０に従って、ＳＲ受信機３００の出力へ帯域内妨害信号が伝播することを防止するために帯域内妨害信号を増幅するどのＳＲ増幅器も無効にされる。もしＳＲ増幅器の個数Ｎが比較的多数に選択されるのであれば、無効にされている少数のＳＲ増幅器による全般的な周波数応答の効果は小さいであろう。
【００３２】
図４は、もう一つの態様の開示に従って、ＳＲ受信機フロント−エンドを含む典型的な通信デバイス４００のブロック図を例証する。通信デバイス４００は、アンテナ４０２，送信機／受信機（Ｔｘ／Ｒｘ）アイソレーションデバイス４０４，ＳＲ受信機フロント−エンド４０６，ＲＦ−ベースバンド受信機部４０８，ベースバンドユニット４１０，ベースバンド−ＲＦ送信機部４１２，および送信機４１４を備える。アンテナ４０２は、ワイヤレス媒体によってその他の通信デバイスからの信号を受信するために供給し、ワイヤレス媒体によってその他の通信デバイスからの信号を送信するために供給する。Ｔｘ／Ｒｘアイソレーションデバイス４０４は、その他の通信デバイスへの信号の送信の間に、送信機４１４によって発せられる比較的大きい電力の信号からＳＲ受信機フロント−エンド４０６の入力を分離するために供給する。
【００３３】
上述されるように、ＳＲ受信機フロント−エンド４０６は、その他の通信デバイスからの信号を受信し、増幅する。ＲＦ−ベースバンド受信機部４０８は、ベースバンドユニット４１０で更に処理するために、ＲＦからベースバンドに受信信号を変換する。ＲＦ−ベースバンド受信機部４０８は、電力検出受信機のような非干渉性受信機として構成されてもよい。ベースバンドユニット４１０は、そこに伝えられた情報を確かめるためにベースバンド信号を処理する。ベースバンド−ＲＦ送信機部４１２は、ベースバンドユニット４１０によって生成される送出信号を、ワイヤレス媒体によってＲＦ信号に変換する。送信機４１４は、ワイヤレス媒体によってその他の通信デバイスへの送出信号の送信のための送出信号（例えば、電力増幅によって，パルス変調によって等）を調節する。
【００３４】
示されないけれども、受信機４０６および／又は４０８は、パルス分割多元接続（ＰＤＭＡ），パルス分割マルチプレキシング（ＰＤＭ），又はその他のタイプのパルス変調を用いて、受信通信チャンネル（例えば、超広帯域（ＵＷＢ）通信チャンネル等）を設定するためにパルス変調デバイスによって制御されてもよい。示されないけれども、送信機４１２および／又は４１４は、ＰＤＭＡ，ＰＤＭ，又はその他のタイプのパルス変調を用いて、送信通信チャンネルを設定するためにパルスによって定められた特定の実例での信号送信を有効にするためのパルス変調デバイスによって制御されてもよい。チャンネルがお互いに干渉しないように直交してもよいのであれば、送信および受信チャンネルは同時に確立されてもよい。送信機および受信機を有効にするためにおよび無効にするためにパルス変調技術を用いて、向上される電力能率は通信デバイス４００に対して達成されてもよい。例えば、送信機が送信しないおよび受信機が受信しない時間の間に、これらのデバイスは、電力を一定に保つために、バッテリによって提供される電力のような低電力モード又は無電力モードで動作してもよい。
【００３５】
図５Ａは、ＰＤＭＡ変調の一例として異なるパルス繰り返し周波数（ＰＲＦ）を定めた、異なるチャンネル（チャンネル１および２）を例証する。特に、チャンネル１に対するパルスは、パルス間遅延周期５０２に対応するパルス繰り返し周波数（ＰＲＦ）を有する。逆に、チャンネル２に対するパルスは、パルス間遅延周期５０４に対応するパルス繰り返し周波数（ＰＲＦ）を有する。この技術は、二つのチャンネル間でのパリス衝突の比較的低い可能性を備える、擬似直交チャンネルを定めるために用いられてもよい。特に、パルス衝突の低い可能性は、パルスに対する低通電率の使用によってもたらされるかもしれない。例えば、パルス繰り返し周波数（ＰＲＦ）の適切な選択によって、与えられたチャンネルに対する全てのパルスが、いくつかのその他のチャンネルに対するパルスとは異なる時間に送信されるかもしれない。
【００３６】
与えられるチャンネルに対して定めたパルス繰り返し周波数（ＰＲＦ）は、与えられるチャンネルによってサポートされるデータレートに依存してもよい。例えば、非常に低いレートをサポートするチャンネルは（例えば、１秒当たり又は１Ｋｂｐｓ当たり数キロビットのオーダで）、対応する低いパルス繰り返し周波数（ＰＲＦ）を用いてもよい。逆に、比較的高いデータレートをサポートするチャンネルは（例えば、１秒当たり又は１Ｍｂｐｓ当たり数メガビットのオーダで）、対応するより高いパルス繰り返し周波数（ＰＲＦ）を用いてもよい。
【００３７】
図５Ｂは、ＰＤＭＡ変調の一例として異なるパルス位置又はオフセットを定めた、異なるチャンネル（チャンネル１および２）を例証する。チャンネル１に対するパルスは、第１のパルスオフセット（例えば、与えられる点に関係する）に従って、直線５０６によってちょうど表される点で生成される。逆に、チャンネル２に対するパルスは、第２のパルスオフセットに従って、直線５０８によってちょうど表される点で生成される。パルス間でのパルスオフセットの違いを示すように（矢印５１０によって表されるように）、この技術が二つのチャンネル間でのパルス衝突の可能性を減少させるために用いられてもよい。チャンネルに対して定められるその他の信号パラメータ（例えば、ここに記述される）およびデバイス間でのタイミングの精度（例えば、関連するクロックドリフト）に応じて、異なるパルスオフセットの使用が直交チャンネル又は擬似直交チャンネルを提供するように用いられてもよい。
【００３８】
図５Ｃは、異なるタイミングホッピングシーケンスを定めた、異なるチャンネル（チャンネル１および２）を例証する。例えば、チャンネル２に対するパルス５１４があるタイミングホッピングシーケンスに従って生成されるかもしれない間に、チャンネル１に対するパルス５１２は別のタイミングホッピングシーケンスに従って生成されるかもしれない。用いられる特定のシーケンスおよびデバイス間でのタイミングの精度に応じて、この技術が直交チャンネル又は擬似直交チャンネルを提供するために用いられてもよい。例えば、時間ホップされたパルス位置は、隣接するチャンネルからの繰り返しパルス衝突の可能性を減少させるために周期的でなくてもよい。
【００３９】
図５Ｄは、ＰＤＭ変調の一例として異なる時間スロットを定めた、異なるチャンネルを例証する。チャンネルＬ１に対するパルスは、特定の時間段階で生成される。同様に、チャンネルＬ２に対するパルスは、別の時間段階で生成される。同様に、チャンネルＬ３に対するパルスは、さらに別の時間段階で生成される。概して、異なるチャンネルに関係がある時間段階は同時に起こらない、又は様々なチャンネル間の干渉を減少させるために又は除去するために直交するかもしれない。
【００４０】
別の技術が、パルス変調スキームに従って、チャンネルを定めるために用いられてもよいことは理解されるべきである。例えば、チャンネルは、異なる拡散擬似ランダム番号シーケンスに基づいて定義されてもよい。更に、チャンネルは、二又はそれ以上のパラメータの組み合わせに基づいて定められてもよい。
【００４１】
図６は、もう一つの態様の開示に従って、様々なチャンネルによってお互いに通信する様々な超広帯域（ＵＷＢ）通信デバイスのブロック図を例証する。例えば、ＵＷＢデバイス１  ６０２は、平行する二つのＵＷＢチャンネル１および２によって、ＵＷＢデバイス２  ６０４と通信する。ＵＷＢデバイス６０２は、単一のチャンネル３によってＵＷＢデバイス３  ６０６と通信する。そして、ＵＷＢデバイス３  ６０６もまた、単一のチャンネル４によってＵＷＢデバイス４  ６０８と通信する。その他の構成も可能である。通信デバイスは、例えば、ヘッドセット，マイクロフォン，生物測定センサ，心拍計，歩数計，ＥＫＧデバイス，時計，遠隔制御，スイッチ，タイヤ空気圧モニタ，又はその他の通信デバイスにおいて、多くの異なるアプリケーションに対して用いられてもよいし、実行されてもよい。
【００４２】
図７は、もう一つの態様の開示に従って、典型的なトランシーバを含んでいる典型的な通信デバイス７００のブロック図を例証する。通信デバイス７００は、特に、その他の通信デバイスからデータを送信するおよび受信するのに適していてもよい。通信デバイス７００は、アンテナ７０２，ＴＸ／ＲＸアイソレーションデバイス７０４，ＳＲ受信機フロント−エンド７０６，ＲＦ−ベースバンド受信機部７０８，ベースバンドユニット７１０，ベースバンド−ＲＦ送信機部７１２，送信機７１４，データプロセッサ７１６，およびデータジェネレータ７１８を備える。
【００４３】
動作において、データプロセッサ７１６は、その他の通信デバイスからＲＦ信号を受信するアンテナ７０２，ＳＲ受信機フロント−エンドに信号を送るＴＸ／ＲＸアイソレーションデバイス７０４，受信信号を増幅するＳＲ受信機フロントエンド７０６，ＲＦ信号をベースバンド信号に変換するＲＦ−ベースバンド受信機部７０８，および受信データを判定するためにベースバンド信号を処理するベースバンドユニットによって、その他の通信デバイスからデータを受信してもよい。データプロセッサ７１６は、受信データに基づいて、一又はそれ以上の定められた動作を行う。例えば、データプロセッサ７１６は、スピーカ，医療デバイス，データに応答する機械的又は自動的デバイス等のような変換器を備えているオーディオデバイス，ディスプレイ，縮小命令セットコンピュータ（ＲＩＳＣ）プロセッサ，マイクロコントローラ，マイクロプロセッサを含んでもよい。
【００４４】
更に、動作において、データジェネレータ７１８は、送信のためにベースバンド信号の中の送出データを処理するベースバンドユニット７１０，ベースバンド信号をＲＦ信号に変換するベースバンド−ＲＦ送信機部７１２，ワイヤレス媒体によって送信するためにＲＦ信号を調節する送信機７１４，ＳＲ受信機フロント−エンド７０６に入力をアイソレーティングする間にアンテナ７０２にＲＦ信号を送るＴＸ／ＲＸアイソレーションデバイス７０４，およびワイヤレス媒体にＲＦ信号を放出するアンテナ７０２によって別の通信デバイスへの送信のために送出データを発してもよい。データジェネレータ７１８は、センサ又はその他のタイプのデータジェネレータであってもよい。例えば、データジェネレータ７１８は、マイクロフォン，医療デバイス，データを生成する機械的又は自動的デバイス等のような変換器を備えているオーディオデバイス，マウス又はトラックボールのようなポインティングデバイス，キーボード，ＲＩＳＣプロセッサ，マイクロコントローラ，マイクロプロセッサを含んでもよい。
【００４５】
図８は、もう一つの態様の開示に従って、典型的な受信機を含んでいる典型的な通信デバイス８００のブロック図を例証する。通信デバイス８００は、その他の通信デバイスからデータを受信するのに特に適していてもよい。通信デバイス８００は、アンテナ８０２，ＳＲ受信機フロントエンド８０４，ＲＦ−ベースバンド受信機部８０６，ベースバンドユニット８０８，およびデータプロセッサ８１０を備える。
【００４６】
動作において、データプロセッサ８１０は、その他の通信デバイスからＲＦ信号を受信するアンテナ８０２，受信信号を増幅するＳＲ受信機フロントエンド８０４，ＲＦ信号をベースバンド信号に変換するＲＦ−ベースバンド受信機部８０６，および受信データを判定するためにベースバンド信号を処理するベースバンドユニット８０８によってその他の通信デバイスからデータを受信してもよい。データプロセッサ８１０は、その後、受信データに基づいて、一又はそれ以上の定められた動作を行う。例えば、データプロセッサ８１０は、スピーカ，医療デバイス，データに応答する機械的又は自動的デバイス等のような変換器を備えているオーディオデバイス，ディスプレイ，ＲＩＳＣプロセッサ，マイクロコントローラ，マイクロプロセッサを含んでもよい。
【００４７】
図９は、もう一つの態様に従って、典型的なトランシーバを含んでいる典型的な通信デバイス９００のブロック図を例証する。通信デバイス９００は、その他の通信デバイスにデータを送るのに特に適していてもよい。通信デバイス９００は、アンテナ９０２，ＳＲ送信機フロントエンド９０４，ベースバンド−ＲＦ送信機部９０６，ベースバンドユニット９０８，およびデータジェネレータ９１０を備える。
【００４８】
動作において、データジェネレータ９１０は、送信するためにベースバンド信号の中の送出データを処理するベースバンドユニット９０８，ベースバンド信号をＲＦ信号に変換するベースバンド−ＲＦ送信機部９０６，ワイヤレス媒体によって送信するためのＲＦ信号を調節するトランシーバ９０４，およびワイヤレス媒体にＲＦ信号を送るアンテナ９０２によって別の通信デバイスへの送信のために送出データを生成してもよい。データジェネレータ９１０は、センサ又はその他のタイプのデータジェネレータであってもよい。例えば、データジェネレータ９１０は、マイクロフォン，医療デバイス，データを生成する機械的又は自動的デバイス等のような変換器を備えているオーディオデバイス，マウス又はトラックボールのようなポインティングデバイス，キーボード，ＲＩＳＣプロセッサ，マイクロコントローラ，マイクロプロセッサを含んでもよい。
【００４９】
様々な態様の開示が上述にされてきた。ここに教授することは、具体化されてもよい。ここに開示されている任意の明細な構成，機能，又はその両者は、単なる典型にすぎない。ここに教授することに基づいて、当業者は、理解するべきである。ここに開示される態様が、これらの態様の二又はそれ以上が様々な方法で組み合わされてもよい他の態様と無関係に実行されてもよい。例えば、装置はここに示す任意の数の態様を用いて実行されてもよい、又は方法はここに示す任意の数の態様を用いて行われてもよい。更に、ここに示す態様の一又はそれ以上の他に加えて、その他の構成，機能性，あるいは構成および機能性を用いてこのような装置は実現されてもよい、又はこのような方法は実行されてもよい。いくつかの上述する概念の例のように、いくつかの態様において、平行チャンネルが繰り返しパルス周波数に基づいて設定されてもよい。いくつかの態様において、平行チャンネルが時間ホッピングシーケンスに基づいて設定されてもよい。いくつかの態様において、平行チャンネルが繰り返しパルス周波数，パルスポジション又はオフセット，および時間ホッピングシーケンスに基づいて設定されてもよい。
【００５０】
当業者は、情報および信号が、様々な異なる技術および技法のうちの任意の一つを用いて表されうることを理解するであろう。例えば、上記記載を通して参照されうるデータ，命令，コマンド，情報，信号，ビット，記号，およびチップは、電圧，電流，電磁波，磁界あるいは磁気粒子，光場あるいは光粒子，又はそれらの任意の組み合わせによって表されうる。
【００５１】
当業者は更に、ここに開示される態様に関連して記載された、実例となる様々な論理ブロック，モジュール，プロセッサ，手段，回路，およびアルゴリズムステップが、電子工学的ハードウェア（例えば、ディジタルインプリメンテーション，アナログインプリメンテーション，又はこれら二つの組み合わせが、ソースコーディング又はその他の技術を用いて設計されてもよい），様々なプログラムの形式あるいは命令に組み入れる設計コード（「ソフトウェア」又は「ソフトウェアモジュール」として、便宜上ここに示されてもよい），又はその両者の組み合わせとして実現されうることをよく理解するであろう。ハードウェアとソフトウェアとの相互置換性を明確に説明するために、様々な実例となる構成要素，ブロック，モジュール，回路，およびステップが、それらの機能の観点から一般的に説明された。このような機能が、ハードウェアとして実現されるかソフトウェアとして実現されるかは、システム全体に課された設計制約および特定のアプリケーションによる。当業者は、各特定のアプリケーションのために上述した機能を様々な方法で実現することができるが、このような実現の決定は、本開示の範囲から逸脱させるものとして解釈されてはならない。
【００５２】
ここに開示される態様に関連して示された様々な例示的論理ブロック，モジュール，および回路は、集積回路（「ＩＣ」），アクセス端末，あるいはアクセスポイントによって実現又は実行されうる。ＩＣは、汎用プロセッサ，ディジタル信号プロセッサ（ＤＳＰ），特定用途向け集積回路（ＡＳＩＣ），フィールド・プログラマブル・ゲート・アレイ（ＦＰＧＡ）あるいはその他のプログラマブル論理デバイス，ディスクリート・ゲートあるいはトランジスタ・ロジック，ディスクリート・ハードウェア部品，電気学上の部品，光学上の部品，機械学上の部品，又は本明細書に示す機能を実行するために設計された上記何れかの組み合わせを備えてもよいし、ＩＣの内側，ＩＣの外側，又はその両者に存するコードあるいは命令を実行してもよい。汎用プロセッサとしてマイクロプロセッサを用いることが可能であるが、代わりに、従来技術によるプロセッサ，コントローラ，マイクロコントローラ，又は状態機器を用いることも可能である。プロセッサは、例えばＤＳＰとマイクロプロセッサとの組み合わせ，複数のマイクロプロセッサ，ＤＳＰコアに接続された一又はそれ以上のマイクロプロセッサ，又はこのような任意の構成である計算デバイスの組み合わせとして実現することも可能である。
【００５３】
開示された処理におけるステップの具体的なオーダ又はヒエラルキがサンプルアプローチの一例であることは理解される。設計選択に基づいて、本開示の範囲の中に残っている間に、処理におけるステップの具体的なオーダ又はヒエラルキが配列しなおされてもよいということは理解される。添付する方法クレームは、サンプルオーダにおける様々なステップの構成要素を示し、具体的なオーダ又はヒエラルキに限られることを意味しない。
【００５４】
本明細書における開示に関連して記述された方法やアルゴリズムのステップは、ハードウェアによって直接、プロセッサによって実行されるソフトウェア・モジュールによって、又は、これらの組み合わせによって具現化されうる。ソフトウェア・モジュール（例えば、実行可能命令および関連したデータを含んでいる）およびその他のデータは、ＲＡＭメモリ，フラッシュメモリ，ＲＯＭメモリ，ＥＰＲＯＭメモリ，ＥＥＰＲＯＭメモリ，レジスタ，ハードディスク，リムーバルディスク，ＣＤ−ＲＯＭ，又は当該技術分野で知られているその他任意の形式のコンピュータ可読記憶媒体に収納されうる。サンプル記憶媒体は、プロセッサがそこから情報を読み取り、またそこに情報を書き込むことができるように、例えば、コンピュータ／プロセッサ（便宜上、「プロセッサ」とここでは称されてもよい）のような機器に連結されてもよい。サンプル記憶媒体は、プロセッサに統合されうる。このプロセッサと記憶媒体とは、ＡＳＩＣ内に存在することができる。このＡＳＩＣは、ユーザ機器内に存在することができる。あるいは、このプロセッサと記憶媒体とは、ユーザ機器内のディスクリート部品として存在することができる。更に、いくつかの態様において、適当なコンピュータプログラム製品は、一又はそれ以上の態様の開示に関連するコードを備えているコンピュータ可読媒体を備えてもよい。いくつかの態様において、コンピュータプログラム製品は、パッケージングマテリアルを備えてもよい。
【００５５】
本発明が様々な態様に関連して記述される間に、本発明が更に変化できることは理解されるであろう。本願は、一般的な発明の原理に従う、および周知事項を含み、本発明に関係する当業者が通例実行するような本開示からのこのような発展を含んでいる、発明の任意の変化，使用又は調節を包含すると意図される。
【図１Ａ】
2010533423.tif 000003
【図１Ｂ】
2010533423.tif 000004
【図２Ａ】
2010533423.tif 000005
【図２Ｂ】
2010533423.tif 000006
【図３Ａ】
2010533423.tif 000007
【図３Ｂ】
2010533423.tif 000008
【図４】
2010533423.tif 000009
【図５Ａ】
2010533423.tif 000010
【図５Ｂ】
2010533423.tif 000011
【図５Ｃ】
2010533423.tif 000012
【図５Ｄ】
2010533423.tif 000013
【図６】
2010533423.tif 000014
【図７】
2010533423.tif 000015
【図８】
2010533423.tif 000016
【図９】
2010533423.tif 000017
【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
並列に連結される複数の超再生増幅器を具備し、
前記超再生増幅器は、
それぞれ異なった周波数帯域に同調され、
前記異なった周波数帯域の一又はそれ以上が、
一又はそれ以上の異なった周波数帯域のうちの少なくとも他の一つに重なる、ワイヤレス通信のための装置。
【請求項２】
前記異なった周波数帯域は、
定められた帯域幅の中に存在する、請求項１に記載の装置。
【請求項３】
Ｎ個の超再生増幅器、前記超再生増幅器のそれぞれのクオリティファクタ（Ｑ）、および前記異なった周波数帯域のそれぞれの中心周波数（ｆｃ）は、
定められた最小の利得、定められた利得リプル、又は定められた帯域幅における定められた周波数応答を提供するように構成される、請求項１に記載の装置。
【請求項４】
前記超再生増幅器の入力にそれぞれ連結される複数のアイソレーション増幅器を更に具備する、請求項１に記載の装置。
【請求項５】
前記超再生増幅器の出力にそれぞれ連結される複数のアイソレーション増幅器を更に具備する、請求項１に記載の装置。
【請求項６】
前記超再生増幅器の入力に連結されるフィルタを更に具備する、請求項１に記載の装置。
【請求項７】
前記超再生増幅器の入力に連結されるアンテナを更に具備する、請求項１に記載の装置。
【請求項８】
前記超再生増幅器の出力に連結される加算デバイスを更に具備する、請求項１に記載の装置。
【請求項９】
妨害信号が前記異なった周波数帯域のいずれかに存在するかどうか判定するのに適した回路を更に具備する、請求項１に記載の装置。
【請求項１０】
前記回路は、
一又はそれ以上の妨害信号が存在するような一又はそれ以上の異なった周波数帯域のそれぞれに関係する一又はそれ以上の超再生増幅器を無効にするのに更に適する、請求項９に記載の装置。
【請求項１１】
前記回路は、
実行可能コードによって制御されるのに適したプロセッサを更に具備する、請求項９に記載の装置。
【請求項１２】
前記超再生増幅器は、
受信機の少なくとも一部を構成する、請求項１に記載の装置。
【請求項１３】
前記超再生増幅器は、
トランシーバの少なくとも一部を構成する、請求項１に記載の装置。
【請求項１４】
前記超再生増幅器は、
非干渉性受信機の少なくとも一部を構成する、請求項１に記載の装置。
【請求項１５】
前記異なった周波数帯域は、
２０％あるいはそれ以上のオーダの比帯域を有する、５００ＭＨｚあるいはそれ以上のオーダの帯域幅を有する、又は２０％あるいはそれ以上のオーダの比帯域および５００ＭＨｚあるいはそれ以上のオーダの帯域幅を有する、定められた超広帯域チャンネルの中に存在する、請求項１に記載の装置。
【請求項１６】
複数の超再生増幅器を並列に連結することと、
それぞれ異なった周波数帯域に超再生増幅器を同調させることと、
を具備し、
前記異なった周波数帯域の一又はそれ以上が、
一又はそれ以上の異なった周波数帯域のうちの少なくとも他の一つに重なる、ワイヤレス通信のための方法。
【請求項１７】
前記異なった周波数帯域は、
定められた帯域幅の中に存在する、請求項１６に記載の方法。
【請求項１８】
Ｎ個の超再生増幅器を選択することと、
前記超再生増幅器のそれぞれのクオリティファクタ（Ｑ）を選択することと、
前記超再生増幅器のそれぞれの中心周波数（ｆｃ）を選択することと、
を更に具備し、
Ｎと、それぞれのＱおよびｆｃとは、
最小の利得、定められた利得リプル、又は定められた帯域幅における定められた周波数応答を提供するように選択される、請求項１６に記載の方法。
【請求項１９】
前記超再生増幅器のそれぞれの入力をお互いに電気的にアイソレーティングすることを更に具備する、請求項１６に記載の方法。
【請求項２０】
前記超再生増幅器のそれぞれの出力をお互いに電気的にアイソレーティングすることを更に具備する、請求項１６に記載の方法。
【請求項２１】
前記超再生増幅器で信号を増幅することと、
前記超再生増幅器で信号を増幅する前に信号をフィルタリングすることと、
を更に具備する、請求項１６に記載の方法。
【請求項２２】
アンテナによって信号を受信することと、
前記超再生増幅器で信号を増幅することと、
を更に具備する、請求項１６に記載の方法。
【請求項２３】
前記超再生増幅器の出力を加算することを更に具備する、請求項１６に記載の方法。
【請求項２４】
妨害信号が前記異なった周波数帯域のいずれかに存在するかどうか判定することを更に具備する、請求項１６に記載の方法。
【請求項２５】
一又はそれ以上の妨害信号が存在するような一又はそれ以上の異なった周波数帯域のそれぞれに関係する一又はそれ以上の超再生増幅器を無効にすることを更に具備する、請求項２４に記載の方法。
【請求項２６】
前記妨害信号が存在するかどうか判定するステップ、および前記一又はそれ以上の超再生増幅器を無効にするステップは、
プロセッサによって行われる、請求項２５に記載の方法。
【請求項２７】
前記一又はそれ以上の超再生増幅器によって信号を受信することを更に具備する、請求項１６に記載の方法。
【請求項２８】
一又はそれ以上の超再生増幅器を用いて信号をトランシ−ビングすることを更に具備する、請求項１６に記載の方法。
【請求項２９】
一又はそれ以上の前記超再生増幅器を用いる非干渉方法で信号を受信することを更に具備する、請求項１６に記載の方法。
【請求項３０】
前記異なった周波数帯域は、
２０％あるいはそれ以上のオーダの比帯域を有する、５００ＭＨｚあるいはそれ以上のオーダの帯域幅を有する、又は２０％あるいはそれ以上のオーダの比帯域および５００ＭＨｚあるいはそれ以上のオーダの帯域幅を有する、定められた超広帯域チャンネルの中に存在する、請求項１６に記載の方法。
【請求項３１】
複数の超再生増幅器を並列に連結する手段と、
それぞれ異なった周波数帯域に前記超再生増幅器を同調させる手段と、
を具備し、
前記異なった周波数帯域の一又はそれ以上が、
前記一又はそれ以上の異なった周波数帯域のうちの少なくとも他の一つに重なる、ワイヤレス通信のための装置。
【請求項３２】
前記異なった周波数帯域は、
定められた周波数帯域の中に存在する、請求項３１に記載の装置。
【請求項３３】
Ｎ個の超再生増幅器、前記超再生増幅器のそれぞれのクオリティファクタ（Ｑ）、および前記異なった周波数帯域の中心周波数（ｆｃ）は、
定められた最小の利得、定められた利得リプル、又は定められた帯域幅における定められた周波数応答を提供するように構成される、請求項３１に記載の装置。
【請求項３４】
前記超再生増幅器のそれぞれの入力をお互いに電気的にアイソレーティングする手段を更に具備する、請求項３１に記載の装置。
【請求項３５】
前記超再生増幅器のそれぞれの出力をお互いに電気的にアイソレーティングする手段を更に具備する、請求項３１に記載の装置。
【請求項３６】
前記信号をフィルタリングする手段を更に具備する、請求項３１に記載の装置。
【請求項３７】
前記信号を受信する手段を更に具備する、請求項３１に記載の装置。
【請求項３８】
前記超再生増幅器の出力を加算する手段を更に具備する、請求項３１に記載の装置。
【請求項３９】
妨害信号が前記異なった周波数帯域のいずれかに存在するかどうか判定する手段を更に具備する、請求項３１に記載の装置。
【請求項４０】
一又はそれ以上の妨害信号が存在するような一又はそれ以上の異なった周波数帯域のそれぞれに関係する一又はそれ以上の超再生増幅器を無効にする手段を更に具備する、請求項３９に記載の装置。
【請求項４１】
前記妨害信号が存在するかどうか判定する手段および前記一又はそれ以上の超再生増幅器を無効にする手段は、
プロセッサを備える、請求項４０に記載の装置。
【請求項４２】
前記超再生増幅器の一又はそれ以上を用いて信号を受信する手段を更に具備する、請求項３１に記載の装置。
【請求項４３】
信号をトランシ−ビングする手段を更に具備し、
前記信号をトランシ−ビングする手段は、
一又はそれ以上の超再生増幅器を備える、請求項３１に記載の装置。
【請求項４４】
前記超再生増幅器の一又はそれ以上を用いる非干渉方法で信号を受信する手段を更に具備する、請求項３１に記載の装置。
【請求項４５】
前記異なった周波数帯域は、
２０％あるいはそれ以上のオーダの比帯域を有する、５００ＭＨｚあるいはそれ以上のオーダの帯域幅を有する、又は２０％あるいはそれ以上のオーダの比帯域を有するおよび５００ＭＨｚあるいはそれ以上のオーダの帯域幅を有する、定められた超広帯域チャンネルの中に存在する、請求項３１に記載の装置。
【請求項４６】
アンテナと、
受信データに基づいてオーディオ出力を生成するのに適した変換器と、
を更に具備し、
前記連結する手段および前記同調させる手段は、
前記アンテナによってデータを受信するのに適した受信機を備え、
前記装置は、
ワイヤレス通信のためのヘッドセットとして構成される、請求項３１に記載の装置。
【請求項４７】
アンテナと、
受信データに基づいてビジュアル出力を生ずるのに適したディスプレイと、
を更に具備し、
前記連結する手段および前記同調させる手段は、
前記アンテナによってデータを受信するのに適した受信機を備え、
前記装置は、
ワイヤレス通信のための時計として構成される、請求項３１に記載の装置。
【請求項４８】
感知データを生成するのに適したセンサと、
感知データを送信するのに適したトランシーバと、
を更に具備し、
前記連結する手段および前記同調させる手段は、
前記アンテナによってデータを送信するのに適したトランシーバを備え、
前記装置は、
ワイヤレス通信のための感知デバイスとして構成される、請求項３１に記載の装置。
【請求項４９】
並列に連結される複数の超再生増幅器をそれぞれ異なった周波数帯域に同調させるために、少なくとも一つのコンピュータによって実行可能なコードを含んでいるコンピュータ可読媒体を具備する、信号を増幅するためのコンピュータプログラム製品。
【国際調査報告】
2010533423.tif 000018
2010533423.tif 000019
2010533423.tif 000020